【手続補正書】
【提出日】令和3年11月19日(2021.11.19)
【手続補正１】
【補正対象書類名】特許請求の範囲
【補正対象項目名】全文
【補正方法】変更
【補正の内容】
【特許請求の範囲】
【請求項１】
原稿トレイに原稿が載置されたことを検知する検知手段と、
前記検知手段によって前記原稿トレイに前記原稿が載置されたことを検知したことに従って、ユーザから前記原稿の厚さを受け付けるためのオブジェクトを表示する表示手段と、
前記オブジェクトによって受け付けた前記原稿の厚さを示す情報を記憶する記憶手段と、
前記記憶手段によって記憶された前記原稿の厚さを示す情報に基づいて前記原稿を搬送する搬送手段と、
前記搬送手段によって搬送された原稿を読み取る読取手段とを有し、
少なくともコピー機能を選択可能な機能選択画面の表示中に、前記原稿が載置されたことを検知したことに従って前記オブジェクトを表示し、前記記憶手段は、前記オブジェクトによってユーザから受け付けた前記原稿の厚さを示す情報を記憶し、前記搬送手段は、前記コピー機能が選択された後に前記コピー機能の実行指示がされた場合に、前記記憶手段によって記憶された前記原稿の厚さを示す情報に基づいて前記原稿を搬送することを特徴とする複合機。
【請求項２】
前記機能選択画面では、データ送信機能をさらに選択可能であり、
前記コピー機能が選択された後、前記コピー画面の表示中に、前記原稿が載置されたことを検知したことに従って前記オブジェクトを表示し、前記記憶手段は、前記オブジェクトによってユーザから受け付けた前記原稿の厚さを示す情報を記憶し、前記データ送信機能が選択された後に表示されるデータ送信画面で前記データ送信機能の実行指示がされた場合に、前記記憶手段によって記憶された前記原稿の厚さを示す情報に基づいて前記原稿を搬送することを特徴とする請求項１に記載の複合機。
【請求項３】
原稿トレイに原稿が載置されたことを検知する検知手段と、
前記検知手段によって前記原稿トレイに前記原稿が載置されたことを検知したことに従って、ユーザから前記原稿の厚さを受け付けるためのオブジェクトを表示する表示手段と、
前記オブジェクトによって受け付けた前記原稿の厚さを示す情報を記憶する記憶手段と、
前記記憶手段によって記憶された前記原稿の厚さを示す情報に基づいて前記原稿を搬送する搬送手段と、
前記搬送手段によって搬送された原稿を読み取る読取手段とを有し、
前記表示手段によるログイン画面の表示中に、前記原稿が載置されたことを検知したことに従って前記オブジェクトを表示し、前記記憶手段は、前記オブジェクトによってユーザから受け付けた前記原稿の厚さを示す情報を記憶し、前記搬送手段は、前記ログイン画面を表示した後であって、ユーザがログインした後に表示されるコピー画面でコピー機能の実行指示がされた場合に、前記記憶手段によって記憶された前記原稿の厚さを示す情報に基づいて前記原稿を搬送することを特徴とする複合機。
【請求項４】
原稿トレイに原稿が載置されたことを検知する検知手段と、
前記検知手段によって前記原稿トレイに前記原稿が載置されたことを検知したことに従って、ユーザから前記原稿の厚さを受け付けるためのオブジェクトを表示する表示手段と、
前記オブジェクトによって受け付けた前記原稿の厚さを示す情報に基づいて前記原稿を搬送する搬送手段と、
前記搬送手段によって搬送された原稿を読み取る読取手段と、
少なくともコピー機能を選択可能な機能選択画面の表示中に、前記検知手段によって前記原稿トレイに前記原稿が載置されたことを検知したことを示す情報を格納する格納手段とを有し、
前記表示手段は、前記機能選択画面の表示中に、前記検知手段によって前記原稿トレイに前記原稿が載置されたことを検知しても前記オブジェクトを表示せずに、前記機能選択画面で前記コピー機能が選択されたことに従って前記情報に基づいて前記オブジェクトを表示することを特徴とする複合機。
【請求項５】
前記機能選択画面では、データ送信機能がさらに選択可能であり、
前記表示手段は、前記コピー機能が選択されたことに従って表示されるコピー画面の表示中に、前記原稿が載置されたことを検知したことに従って前記オブジェクトを表示した後、前記データ送信機能が選択されたことに従って表示されるデータ送信画面で前記データ送信機能の実行指示がされた場合に、前記オブジェクトによって設定された原稿の厚さを示す情報に基づいて前記原稿を搬送することを特徴とする請求項４に記載の複合機。
【請求項６】
原稿トレイに原稿が載置されたことを検知する検知手段と、
前記検知手段によって前記原稿トレイに前記原稿が載置されたことを検知したことに従って、ユーザから前記原稿の厚さを受け付けるためのオブジェクトを表示する表示手段と、
前記オブジェクトによってユーザから受け付けた前記原稿の厚さを示す情報に基づいて前記原稿を搬送する搬送手段と、
前記搬送手段によって搬送された原稿を読み取る読取手段と、
ログイン画面の表示中に、前記検知手段によって前記原稿トレイに前記原稿が載置されたことを検知したことを示す情報を格納する格納手段とを有し、
前記表示手段は、前記ログイン画面の表示中に、前記検知手段によって前記原稿トレイに前記原稿が載置されたことを検知しても前記オブジェクトを表示せずに、前記ログイン画面が表示された後、ユーザがログインしたことに従って前記情報に基づいて前記オブジェクトを表示することを特徴とする複合機。
【請求項７】
前記搬送手段は、前記原稿の搬送速度を制御することを特徴とする請求項１乃至６のいずれか１項に記載の複合機。
【請求項８】
前記読取手段によって読み取った原稿の画像を印刷する印刷手段をさらに有することを特徴とする請求項１乃至７のいずれか１項に記載の複合機。
【請求項９】
前記読取手段によって読み取った原稿の画像を外部装置に送信する送信手段をさらに有することを特徴とする請求項１乃至８のいずれか１項に記載の複合機。
【請求項１０】
原稿トレイに原稿が載置されたことを検知する検知工程と、
前記検知工程で前記原稿トレイに前記原稿が載置されたことを検知したことに従って、
ユーザから前記原稿の厚さを受け付けるためのオブジェクトを表示する表示工程と、
前記オブジェクトによって設定された前記原稿の厚さを示す情報を記憶する記憶工程と、
前記記憶工程で記憶された前記原稿の厚さを示す情報に基づいて前記原稿を搬送する搬送工程と、
前記搬送工程で搬送された原稿を読み取る読取工程とを有し、
少なくともコピー機能を選択可能な機能選択画面の表示中に、前記原稿が載置されたことを検知したことに従って前記オブジェクトを表示し、前記記憶工程では、前記オブジェクトによってユーザから受け付けた前記原稿の厚さを示す情報を記憶し、前記搬送工程では、前記コピー機能が選択された後に表示されるコピー画面で前記コピー機能の実行指示がされた場合に、前記記憶工程で記憶された前記原稿の厚さを示す情報に基づいて前記原稿を搬送することを特徴とする複合機の制御方法。
【請求項１１】
前記機能選択画面では、データ送信機能をさらに選択可能であり、
前記コピー機能が選択された後、前記コピー画面の表示中に、前記原稿が載置されたことを検知したことに従って前記オブジェクトを表示し、前記記憶工程では、前記オブジェクトによってユーザから受け付けた前記原稿の厚さを示す情報を記憶し、前記データ送信機能が選択され後に表示されるデータ送信画面で前記データ送信機能の実行指示がされた場合に、前記記憶工程で記憶された前記原稿の厚さを示す情報に基づいて前記原稿を搬送することを特徴とする請求項１０に記載の複合機の制御方法。
【請求項１２】
原稿トレイに原稿が載置されたことを検知する検知工程と、
前記検知工程で前記原稿トレイに前記原稿が載置されたことを検知したことに従って、
ユーザから前記原稿の厚さを受け付けるためのオブジェクトを表示する表示工程と、
前記オブジェクトによって受け付けた前記原稿の厚さを示す情報を記憶する記憶工程と、
前記記憶工程で記憶された前記原稿の厚さを示す情報に基づいて前記原稿を搬送する搬送工程と、
前記搬送工程で搬送された原稿を読み取る読取工程とを有し、
前記表示工程におけるログイン画面の表示中に、前記原稿が載置されたことを検知したことに従って前記オブジェクトを表示し、前記記憶工程では、前記オブジェクトによってユーザから受け付けた前記原稿の厚さを示す情報を記憶し、前記搬送工程では、前記ログイン画面を表示した後であって、ユーザがログインした後に表示されるコピー画面でコピー機能の実行指示がされた場合に、前記記憶工程で記憶された前記原稿を示す情報の厚さを示す情報に基づいて前記原稿を搬送することを特徴とする複合機の制御方法。
【請求項１３】
請求項１１に記載された複合機の制御方法を、コンピュータに実行させるプログラム。
【請求項１４】
請求項１２に記載された複合機の制御方法を、コンピュータに実行させるプログラム。
【手続補正２】
【補正対象書類名】明細書
【補正対象項目名】発明の名称
【補正方法】変更
【補正の内容】
【発明の名称】複合機、複合機の制御方法、及びプログラム
【手続補正３】
【補正対象書類名】明細書
【補正対象項目名】０００１
【補正方法】変更
【補正の内容】
【０００１】
本発明は、原稿の厚さを示す情報に基づいて原稿の搬送を制御する複合機、複合機の制御方法、及びプログラムに関する。
【手続補正４】
【補正対象書類名】明細書
【補正対象項目名】０００８
【補正方法】変更
【補正の内容】
【０００８】
本発明は、上記の課題を解決するためになされたものであり、ユーザが機能選択画面で原稿を置いても、原稿の厚さを確実に設定させることができ、設定された厚さを示す情報に基づいて原稿の搬送を制御することができる仕組みを提供することを目的とする。
【手続補正５】
【補正対象書類名】明細書
【補正対象項目名】０００９
【補正方法】変更
【補正の内容】
【０００９】
原稿トレイに原稿が載置されたことを検知する検知手段と、前記検知手段によって前記原稿トレイに前記原稿が載置されたことを検知したことに従って、ユーザから前記原稿の厚さを受け付けるためのオブジェクトを表示する表示手段と、前記オブジェクトによって受け付けた前記原稿の厚さを示す情報を記憶する記憶手段と、前記記憶手段によって記憶された前記原稿の厚さを示す情報に基づいて前記原稿を搬送する搬送手段と、前記搬送手段によって搬送された原稿を読み取る読取手段とを有し、少なくともコピー機能を選択可能な機能選択画面の表示中に、前記原稿が載置されたことを検知したことに従って前記オブジェクトを表示し、前記記憶手段は、前記オブジェクトによってユーザから受け付けた前記原稿の厚さを示す情報を記憶し、前記搬送手段は、前記コピー機能が選択された後に表示されるコピー画面で前記コピー機能の実行指示がされた場合に、前記記憶手段によって記憶された前記原稿の厚さを示す情報に基づいて前記原稿を搬送することを特徴とする。
【手続補正６】
【補正対象書類名】明細書
【補正対象項目名】００１０
【補正方法】変更
【補正の内容】
【００１０】
ユーザが機能選択画面で原稿を置いても、原稿の厚さを確実に設定させることができ、設定された厚さを示す情報に基づいて原稿の搬送を制御することができる。